(57)【要約】【課題】画像印刷装置の操作をより容易にする。【解決手段】画像印刷装置は、タッチパネルと、タッチパネルによりユーザが指示を与えるためのタッチペンを格納するタッチペン格納部を備えている。画像印刷装置は、また、タッチペン格納部へのタッチペンの格納状態を検出する格納状態検出部を備えている。画像印刷装置は、タッチペンがタッチペン格納部に格納されたペン格納状態から、タッチペンがタッチペン格納部に格納されていないペン取出状態に変化したことを検出する。そして、ペン取り出し状態への変化を検出すると、画像印刷装置の動作モードを、ペン格納モードから、タッチペンを用いたユーザの指示を受け付けるペン取出モードに切り替える。【選択図】図５
2008149676.tif 000002
【特許請求の範囲】
【請求項１】
画像印刷装置であって、
画像を表示するとともに、タッチペンを用いたユーザの指示を取得可能なタッチパネルと、
前記タッチペンを格納するタッチペン格納部と、
前記タッチペン格納部への前記タッチペンの格納状態を検出する格納状態検出部と、
を備え、
前記画像印刷装置は、
前記タッチペンが前記タッチペン格納部に格納されたペン格納状態から前記タッチペンが前記タッチペン格納部に格納されていないペン取出状態に変化したことが前記格納状態検出部により検出された場合、前記画像印刷装置の動作モードを、ペン格納モードから、前記タッチペンを用いたユーザの指示を受け付けるペン取出モードに切り替える、
画像印刷装置。
【請求項２】
請求項１記載の画像印刷装置であって、
前記ペン格納モードにおいて、前記タッチパネル上には格納モード画像が表示されており、
前記画像印刷装置は、前記ペン取出モードへの切替の際、前記タッチパネル上に表示される画像を、前記格納モード画像から、前記タッチペンを用いたユーザの指示を受け付ける取出モード画像に切り替える、画像印刷装置。
【請求項３】
請求項２記載の画像印刷装置であって、
前記画像印刷装置は、
前記格納モード画像として、前記画像印刷装置において実行される処理を指定するための複数の項目を有する格納モードメニューを前記タッチパネル上に表示し、
前記取出モード画像として、前記格納モードメニューが有する前記複数の項目のうち前記タッチペンを用いたユーザの指示を受け付ける処理を実行するための項目を優先して配置した取出モードメニューを前記タッチパネル上に表示する、
画像印刷装置。
【請求項４】
請求項２記載の画像印刷装置であって、
前記画像印刷装置は、
前記格納モード画像として、前記画像印刷装置において実行される処理を指定するための複数の項目を有する格納モードメニューを前記タッチパネル上に表示し、
前記取出モード画像として、前記格納モードメニューが有する前記複数の項目のうち前記タッチペンを用いたユーザの指示を受け付ける処理を実行するための特定の項目のみの指定を受け付ける取出モードメニューを前記タッチパネル上に表示する、
画像印刷装置。
【請求項５】
請求項２記載の画像印刷装置であって、
前記画像印刷装置は、
前記格納モード画像として、前記画像印刷装置において実行される処理を指定するための複数の項目を有する格納モードメニューを前記タッチパネル上に表示し、
前記取出モード画像として、前記格納モードメニューが有する前記複数の項目のうち前記タッチペンを用いたユーザの指示を受け付ける処理を実行するための特定の項目のみを有する取出モードメニューを前記タッチパネル上に表示する、
画像印刷装置。
【請求項６】
請求項２ないし５のいずれか記載の画像印刷装置であって、
前記画像印刷装置は、前記取出モード画像として、前記タッチペンを用いたユーザの文字入力を許容する特定の入力画面を前記タッチパネル上に表示する、画像印刷装置。
【請求項７】
請求項１ないし６のいずれか記載の画像印刷装置であって、さらに、
前記画像印刷装置の電源投入状態として、前記画像印刷装置への電力の供給が制限される第１の電源状態と、前記タッチペンを用いたユーザの指示に従った処理が可能な第２の電源状態とを有しており、
前記画像印刷装置は、前記タッチペンの格納状態の前記ペン格納状態から前記ペン取出状態への変化を検知することにより、前記電源投入状態を前記第１の電源状態から前記第２の電源状態に切り替える、画像印刷装置。
【請求項８】
請求項７記載の画像印刷装置であって、
前記画像印刷装置は、前記格納状態の前記ペン取出状態から前記ペン格納状態への変化を検知することにより、前記電源投入状態を前記第２の電源状態から前記第１の電源状態に切り替える、画像印刷装置。
【請求項９】
請求項８記載の画像印刷装置であって、
前記第１の電源状態は、前記画像印刷装置において実行される特定の処理を実行し得ない状態であり、
前記画像印刷装置は、前記画像印刷装置が前記特定の処理を実行している場合には、前記第２の電源状態から前記第１の電源状態への切り替えを前記特定の処理の実行終了後に行なう、画像印刷装置。
【請求項１０】
画像印刷装置の制御方法であって、
前記画像印刷装置は、
画像を表示するとともに、タッチペンを用いたユーザの指示を取得可能なタッチパネルと、
前記タッチペンを格納するタッチペン格納部と、
第１の動作モードと、
前記第１の動作モードとは異なる、前記タッチペンを用いたユーザの指示を受け付ける第２の動作モードと
を備え、
前記制御方法は、
（ａ）前記タッチペン格納部への前記タッチペンの格納状態を検出する工程と、
（ｂ）前記工程（ａ）により、前記タッチペンが前記タッチペン格納部に格納されたペン格納状態から前記タッチペンが前記タッチペン格納部に格納されていないペン取出状態に変化したことを検出する工程と、
（ｃ）前記ペン取出状態への変化を検出した場合に、前記画像印刷装置の動作モードを前記第１の動作モードから前記第２の動作モードに切り替える、
制御方法。
【発明の詳細な説明】
【技術分野】
【０００１】
この発明は、画像印刷装置において画像の印刷条件を設定する技術に関する。
【背景技術】
【０００２】
プリンタやスキャナ・プリンタ・コピー複合機（「複合機」あるいは「ＭＦＰ」とも呼ばれる）等の画像印刷装置には、ユーザの指示を取得するための操作ボタンと、画像印刷装置の状態等の種々の情報をユーザに通知するための液晶パネルと、が設けられる。ユーザは、液晶パネルに表示された情報を見ながら操作ボタンを操作することにより、画像印刷装置が有する機能を選択し、また、選択した機能を実行するための実行条件の設定を行う。
【０００３】
【特許文献１】特開２００３−３３０６８５号公報
【発明の開示】
【発明が解決しようとする課題】
【０００４】
このように、ユーザが画像印刷装置を操作する場合、通常、ユーザは液晶パネルと操作ボタンとを交互に確認して指示を画像印刷装置に与える。そのため、液晶パネルと操作ボタンとの配置によっては、画像印刷装置の操作が煩雑となる可能性がある。
【０００５】
本発明は、上述した従来の課題を解決するためになされたものであり、画像印刷装置の操作をより容易にすることを目的とする。
【課題を解決するための手段】
【０００６】
上記目的の少なくとも一部を達成するために、本発明の画像印刷装置は、画像を表示するとともに、タッチペンを用いたユーザの指示を取得可能なタッチパネルと、前記タッチペンを格納するタッチペン格納部と、前記タッチペン格納部への前記タッチペンの格納状態を検出する格納状態検出部と、を備え、前記タッチペンが前記タッチペン格納部に格納されたペン格納状態から前記タッチペンが前記タッチペン格納部に格納されていないペン取出状態に変化したことが前記格納状態検出部により検出された場合、前記画像印刷装置の動作モードを、ペン格納モードから、前記タッチペンを用いたユーザの指示を受け付けるペン取出モードに切り替えることを特徴とする。
【０００７】
この構成によれば、ユーザは画像が表示されたタッチパネルを見ながらタッチペンを用いて操作することができるので、画像印刷装置がより容易となる。また、ユーザがタッチペンをタッチペン格納部から取り出すことにより、画像印刷装置の動作モードはタッチペンを用いたユーザの指示を受け付けるペン取り出しモードに切り替わる。そのため、タッチペンを使用するための操作ボタンなどの操作を省略することができるので、タッチペンを使用した画像印刷装置の操作がより容易となる。
【０００８】
前記ペン格納モードにおいて、前記タッチパネル上には格納モード画像が表示されており、前記画像印刷装置は、前記ペン取出モードへの切替の際、前記タッチパネル上に表示される画像を、前記格納モード画像から、前記タッチペンを用いたユーザの指示を受け付ける取出モード画像に切り替えるものとしても良い。
【０００９】
この構成によれば、ペン取出モードへの切替の際、タッチパネルに表示される画像が格納モード画像から取出モード画像に切り替えられる。そのため、格納モード画像と取出モード画像とをそれぞれの動作モードに適したものとすることができる。
【００１０】
前記画像印刷装置は、前記格納モード画像として、前記画像印刷装置において実行される処理を指定するための複数の項目を有する格納モードメニューを前記タッチパネル上に表示し、前記取出モード画像として、前記格納モードメニューが有する前記複数の項目のうち前記タッチペンを用いたユーザの指示を受け付ける処理を実行するための項目を優先して配置した取出モードメニューを前記タッチパネル上に表示するものとしても良い。
【００１１】
この構成によれば、タッチペンの取り出しにより表示される取出モードメニューでは、タッチペンを用いたユーザの指示を受け付ける処理を実行するための項目が優先して配置される。そのため、タッチペンを用いたユーザの指示を受け付ける処理の選択がより容易となる。
【００１２】
前記画像印刷装置は、前記格納モード画像として、前記画像印刷装置において実行される処理を指定するための複数の項目を有する格納モードメニューを前記タッチパネル上に表示し、前記取出モード画像として、前記格納モードメニューが有する前記複数の項目のうち前記タッチペンを用いたユーザの指示を受け付ける処理を実行するための特定の項目のみの指定を受け付ける取出モードメニューを前記タッチパネル上に表示するものとしても良い。
【００１３】
この構成によれば、タッチペンの取り出しにより表示される取出モードメニューでは、タッチペンを用いたユーザの指示を受け付ける処理を実行するための特定の項目のみの指定が受け付けられる。そのため、タッチペンを用いたユーザの指示を受け付ける処理とは異なる処理の誤選択を抑制することができる。
【００１４】
前記画像印刷装置は、前記格納モード画像として、前記画像印刷装置において実行される処理を指定するための複数の項目を有する格納モードメニューを前記タッチパネル上に表示し、前記取出モード画像として、前記格納モードメニューが有する前記複数の項目のうち前記タッチペンを用いたユーザの指示を受け付ける処理を実行するための特定の項目のみを有する取出モードメニューを前記タッチパネル上に表示するものとしても良い。
【００１５】
この構成によれば、タッチペンの取り出しにより表示される取出モードメニューは、タッチペンを用いたユーザの指示を受け付ける処理を実行するための特定の項目のみを有している。そのため、タッチペンを用いたユーザの指示を受け付ける処理とは異なる処理の誤選択を抑制することができる。また、メニューに含まれる項目数を低減することができるので、特定の項目の選択がより容易となる。
【００１６】
前記画像印刷装置は、前記取出モード画像として、前記タッチペンを用いたユーザの文字入力を許容する特定の入力画面を前記タッチパネル上に表示するものとしても良い。
【００１７】
この構成によれば、タッチペンの取り出しにより、タッチペンを用いた文字入力を許容する特定の入力画面が表示される。そのため、特定の入力画面を表示させるための操作量を低減することができる。
【００１８】
前記画像印刷装置は、さらに、前記画像印刷装置の電源投入状態として、前記画像印刷装置への電力の供給が制限される第１の電源状態と、前記タッチペンを用いたユーザの指示に従った処理が可能な第２の電源状態とを有しており、前記画像印刷装置は、前記タッチペンの格納状態の前記ペン格納状態から前記ペン取出状態への変化を検知することにより、前記電源投入状態を前記第１の電源状態から前記第２の電源状態に切り替えるものとしても良い。
【００１９】
この構成によれば、画像印刷装置の電源投入状態は、タッチペンを取り出すことにより、タッチペンを用いたユーザの指示に従った処理が可能な第２の電源状態に切り替わる。そのため、タッチペンを用いる際には、電源投入状態を切り替えるための他の操作を省略することができる。
【００２０】
前記画像印刷装置は、前記格納状態の前記ペン取出状態から前記ペン格納状態への変化を検知することにより、前記電源投入状態を前記第２の電源状態から前記第１の電源状態に切り替えるものとしても良い。
【００２１】
この構成によれば、画像印刷装置の電源投入状態は、タッチペンを格納することにより、電力の供給が制限され電力消費量がより少ない第１の電源状態に切り替わる。そのため、タッチペンを用いた操作の後、電源投入状態を切り替えて電力消費量を低減するための他の操作を省略することができる。
【００２２】
前記第１の電源状態は、前記画像印刷装置において実行される特定の処理を実行し得ない状態であり、前記画像印刷装置は、前記画像印刷装置が前記特定の処理を実行している場合には、前記第２の電源状態から前記第１の電源状態への切り替えを前記特定の処理の実行終了後に行なうものとしても良い。
【００２３】
この構成によれば、ユーザは、特定の処理を実行している間にタッチペンを格納することにより、特定処理の実行終了後の第１の電源状態への切替を画像印刷装置に指示することができる。そのため、ユーザは、第１の電源状態への切替のために特定処理の実行終了を待つことなく、電力消費量がより少ない第１の電源状態への切替を指示できるので、画像印刷装置の利便性が向上する。
【００２４】
なお、本発明は、種々の態様で実現することが可能である。例えば、画像印刷装置と画像印刷方法、その画像印刷装置の制御装置と制御方法、それらの装置および方法の機能を実現するためのコンピュータプログラム、そのコンピュータプログラムを記録した記録媒体、そのコンピュータプログラムを含み搬送波内に具現化されたデータ信号、等の態様で実現することができる。
【発明を実施するための最良の形態】
【００２５】
次に、本発明の実施の形態を実施例に基づいて以下の順序で説明する。
Ａ．第１実施例
Ｂ．第２実施例
Ｃ．第３実施例
Ｄ．第４実施例
Ｅ．変形例
【００２６】
Ａ．第１実施例：
図１は、本発明の一実施例としての複合機１００を示す斜視図である。この複合機１００は、プリンタとスキャナの機能を有しており、外部のコンピュータに接続されることなく、単体で画像のスキャンや印刷を行うことができる。この複合機１００は、印刷用紙を供給するためのオートシードフィーダ１１０と、画像が印刷された印刷用紙を受ける排紙トレイ１２０と、メモリカードを受け入れるメモリカードスロット１３０と、操作パネル２００と、を備えている。
【００２７】
図２は、複合機１００の操作パネル２００の一例を示す説明図である。操作パネル２００は、複合機１００（図１）の電源投入状態を切り替えるための電源ボタン２１２と、ユーザが複合機１００に種々の指示を与えるための操作ボタンと、複合機１００がユーザに複合機１００の状態を通知するための表示ランプと、タッチパネル２５０と、タッチパネル２５０に文字などを記入するためのタッチペン４０を格納するペンホルダ２４０と、を有している。なお、ペンホルダ２４０を操作パネル外に設けることも可能である。図２の操作パネル２００には、操作ボタンとして、方向ボタン２１４と、「キャンセル」ボタン２１６と、「ＯＫ」ボタン２１８と、「印刷」ボタン２２２と、「スキャン」ボタン２２４と、「コピー」ボタン２２６とが設けられている。また、表示ランプとしては、複合機１００の電源オン・オフ状態を通知するための電源ランプ２３２が設けられている。ただし、操作パネル２００には、必要に応じて、他の操作ボタンや表示ランプを設けても良く、図２に示す操作ボタンや表示ランプを省略しても良い。
【００２８】
タッチパネル２５０は、表示画面２５２を有している。この表示画面２５２には、後述するように種々の画像が表示される。そして、ユーザは、表示画面２５２上にタッチペン４０を用いて文字や図形を記入し、あるいは、タッチペン４０の先端で表示画面２５２に触れることにより、複合機１００に指示を与えたり複合機１００に文字を入力することができる。ペンホルダ２４０は、ペンホルダ２４０にタッチペン４０が格納されているか否かを検出することができる。なお、タッチペン４０がペンホルダ２４０に格納されているか否かは、例えば、フォトインタラプタやリードスイッチ等の非接触型の検知器、あるいは、マイクロスイッチなどの接触型の検知器を用いて検知することができる。なお、これらの検知器は、ペンホルダ２４０へのタッチペン４０の格納状態を検出するので、「格納状態検出部」ともいうことができる。
【００２９】
図３は、複合機１００の内部構成を示すブロック図である。複合機１００は、ＣＰＵ３１０と、ＲＯＭ３２０と、ＲＡＭ３３０と、印刷エンジン３４０と、スキャンエンジン３５０と、電源制御部３６０と、ＵＳＢホスト制御部３７０と、ＵＳＢデバイス制御部３８０と、メモリカードインタフェース３９０と、操作パネル制御部４１０とを備えている。
【００３０】
ＣＰＵ３１０は、ＲＯＭ３２０に格納されたプログラムを実行することにより、複合機１００が有する種々の機能を実現する。ＲＡＭ３３０は、ＣＰＵ３１０により使用される一時データを格納する。印刷エンジン３４０は、与えられた印刷データに応じて印刷を実行する印刷機構である。スキャンエンジン３５０は、画像をスキャンして画像データを生成する機構である。
【００３１】
電源制御部３６０は、電源回路３６２に接続されている。電源回路３６２は、メインスイッチ３６４を介して電力線（図示しない）に接続されており、電力線から供給される電力を複合機１００の各部に供給する。複合機１００への電力供給は、電源制御部３６０が電源回路３６２を制御することにより制御される。また、電源回路３６２は、操作パネル２００の電源ボタン２１２にも接続されている。電源回路３６２が複合機１００各部への電力供給を行っていない状態で電源ボタン２１２が操作されると、電源回路３６２は、複合機１００各部への電力供給を開始する。なお、第１実施例では、電源回路３６２は、メインスイッチ３６４を介して電力線に接続されているが、メインスイッチ３６４を省略することも可能である。
【００３２】
ＵＳＢホスト制御部３７０は、ＵＳＢコネクタ３７２を介してデジタルスチルカメラＤＳＣ等のＵＳＢデバイスに接続することができる。ＵＳＢデバイス制御部３８０は、ＵＳＢコネクタ３８２を介して、パーソナルコンピュータＰＣなどのＵＳＢホストと接続することができる。メモリカードインタフェース３９０は、メモリカードスロット１３０に受け入れたメモリカードに格納されたデータを読み込んでＣＰＵ３１０に供給する。また、メモリカードスロット１３０に受け入れたメモリカードに、ＣＰＵ３１０から供給されたデータを書き込む。
【００３３】
操作パネル制御部４１０は、タッチパネル２５０、操作ボタン２１０、表示ランプ２３０、およびペンホルダ２４０と、ＣＰＵ３１０との間のデータの授受を仲介する。ＣＰＵ３１０は、操作パネル４１０から供給される操作ボタン２１０の操作状態を表すデータを受け取り、操作ボタン２１０の操作状態に応じてＲＯＭ３２０に格納されたプログラムを実行する。また、ＣＰＵ３１０は、タッチパネル２５０の表示画面２５２上にメニュー画面を表示するとともに、タッチペン４０の表示画面２５２への接触位置などを表すデータを取得する。そして、ＣＰＵ３１０は、取得したデータに応じてＲＯＭ３２０に格納されたプログラムを実行する。このように、ＣＰＵ３１０は、操作ボタン２１０やタッチペン４０によって与えられた指示に従って、種々の処理を実行する。また、ＣＰＵ３１０は、表示ランプ２３０の点滅を指示することにより、ユーザに複合機１００の状態を通知する。
【００３４】
図４は、複合機１００（図１）の動作モードの遷移を示す状態遷移図である。複合機１００は、電源オフ状態Ｍ１と、電源オン状態との２つの電力状態を有している。電源オン状態において、複合機１００は、動作選択モードＭ２と、印刷モードＭ３と、スキャンモードＭ４と、コピーモードＭ５との４つの動作モードを有している。なお、図４の太線はユーザの指示を受けることなく複合機１００単独で自動遷移するシーケンスを示し、細線はユーザの指示に従って遷移するシーケンスを示している。
【００３５】
電源オフ状態Ｍ１は、メインスイッチ３６４（図３）がオフ状態からオン状態に切り替えられた場合の最初の動作状態である。電源オフ状態Ｍ１は、電源回路３６２から複合機１００各部への電力が供給されていない状態である。上述のように、電源回路３６２は、複合機１００各部へ電力を供給していない状態（すなわち、電源オフ状態Ｍ１）において電源ボタン２１２の操作を検知すると、複合機１００各部への電力供給を開始する。そのため、電源オフ状態Ｍ１において電源ボタン２１２が操作されると、複合機１００の動作状態は、電源回路３６２から複合機１００各部への電力が供給される電源オン状態に移行する。
【００３６】
動作選択モードＭ２は、電力状態が電源オフ状態Ｍ１から電源オン状態に切り替えられた場合の最初の動作モードである。動作選択モードＭ２において、ＣＰＵ３１０（図３）は、操作パネル２００から操作パネル制御部４１０を介して供給されるユーザの指示を取得する。そして、取得した指示に従ってＲＯＭ３２０に格納されたプログラムを実行することにより、ユーザにより与えられた指示された処理を実行する。
【００３７】
動作選択モードＭ２において、ユーザが電源ボタン２１２を操作すると、複合機１００は電源オフ状態Ｍ１に移行する。具体的には、ＣＰＵ３１０が電源ボタン２１２の操作を検知すると、電源制御部３６０を介して電源回路３６２に複合機１００の各部への電力供給の停止を指示する。電源回路３６２は、電源制御部３６０を過逸して供給された指示に従い、複合機１００各部への電力の供給を停止する。
【００３８】
動作選択モードＭ２において、ＣＰＵ３１０がユーザにより与えられた印刷の実行指示を取得すると、複合機１００の動作モードは、印刷モードＭ３に移行する。印刷モードＭ３において、ＣＰＵ３１０は、印刷エンジン３４０（図３）により画像を印刷するための処理を実行する。なお、印刷モードＭ３において実行される処理については、後述する。印刷が終了するか、あるいは印刷が中止された場合、複合機１００の動作モードは印刷モードＭ３から動作選択モードＭ２に移行する。
【００３９】
動作選択モードＭ２において、ＣＰＵ３１０がユーザにより与えられたスキャンの実行指示を取得すると、複合機１００の動作モードは、スキャンモードＭ４に移行する。スキャンモードＭ４において、ＣＰＵ３１０は、スキャンエンジン３５０（図３）により画像をスキャンするための処理を実行する。スキャンが終了するか、あるいはスキャンが中止された場合、複合機１００の動作モードはスキャンモードＭ４から動作選択モードＭ２に移行する。
【００４０】
動作選択モードＭ２において、ＣＰＵ３１０がユーザにより与えられたコピーの実行指示を取得すると、複合機１００の動作モードは、コピーモードＭ５に移行する。コピーモードＭ５において、ＣＰＵ３１０は、スキャンエンジン３５０（図３）により読み取った画像を印刷エンジン（図３）により印刷する処理（コピー）を実行する。コピーが終了するか、あるいはコピーが中止された場合、複合機１００の動作モードはコピーモードＭ５から動作選択モードＭ２に移行する。
【００４１】
図５は、図４の印刷モードＭ３において実行される印刷モード実行ルーチンを示すフローチャートである。
【００４２】
ステップＳ１００において、ＣＰＵ３１０は、ペンホルダ２４０にタッチペン４０が格納されているかを判断する。具体的には、ＣＰＵ３１０は、操作パネル制御部４１０を介してペンホルダ２４０のタッチペン４０の検出結果を取得する。タッチペン４０が検出された場合、タッチペン４０は格納状態であると判断され、制御はステップＳ２１０に移される。一方、タッチペン４０が検出されなかった場合、タッチペン４０は格納状態でないと判断され、制御はステップＳ３１０に移される。
【００４３】
ステップＳ２１０において、ＣＰＵ３１０は、ユーザにボタン操作によって印刷方法の選択を促すボタンモードメニューを、タッチパネル２５０の表示画面２５２に表示する。具体的には、ＣＰＵ３１０は、ボタンモードメニューを表す画像データを生成し、生成した画像を操作パネル制御部４１０を介してタッチパネルに供給する。タッチパネル２５０は、供給された画像データに基づいて、表示画面２５２にボタンモードメニューを表示する。なお、ボタンモードメニューは、タッチペン４０がペンホルダ２４０に格納されている場合に表示されるメニューであるので、「格納モードメニュー」ともいうことができる。
【００４４】
図６（ａ）は、ステップＳ２１０において表示されるボタンモードメニューが、タッチパネル２５０上に表示されている様子を示している。ボタンモードメニューＭＭ１には、印刷方法の選択を促すメッセージＭＰＳと、リストボックスＬＢ１と、リストボックスＬＢ１の右側に設けられたスクロールバーＳＢ１と、が表示されている。リストボックスＬＢ１には、選択可能な印刷方法が表示されている。
【００４５】
図５のステップＳ２２０において、ＣＰＵ３１０は、タッチペン４０がペンホルダ２４０から取り出されたか否かを判断する。具体的には、ＣＰＵ３１０は、ペンホルダ２４０からタッチペン４０の検出結果を取得し、タッチペン４０が検出されなかった場合、タッチペン４０は取り出されたと判断する。タッチペンが取り出されたと判断された場合、制御はステップＳ３１０に移される。一方、タッチペンが取り出されなかったと判断された場合、制御はステップＳ２３０に移される。
【００４６】
ステップＳ２３０において、ＣＰＵ３１０は、操作ボタン２１０の操作が行われたか否かを判断する。具体的には、ＣＰＵ３１０は、操作パネル制御部４１０を介して操作ボタン２１０の操作状態を検出する。検出結果が操作ボタン２１０のいずれかが操作されたことを表す場合、操作ボタン２１０の操作が行われたと判断され、制御はステップＳ２４０に移される。検出結果が操作ボタン２１０のいずれかもが操作されていないことを表す場合、操作ボタン２１０の操作が行われていないと判断され、制御はステップＳ２２０に戻される。
【００４７】
ステップＳ２４０において、ＣＰＵ３１０は、操作された操作ボタン２１０に対応する処理を実行する。例えば、方向ボタン２１４（図２）が操作された場合、方向ボタン２１４のうちの操作されたボタンに応じて、リストボックスＬＢ１中のリストのうちから印刷方法が選択される。このとき、ステップＳ２４０における処理の終了後に、印刷モード実行ルーチンを終了するか否かを指定する終了フラグがリセットされる。「ＯＫ」ボタン２１８が操作された場合には、終了フラグがセットされるとともに、選択された印刷方法により印刷が実行される。「キャンセル」ボタン２１６が操作された場合には、終了フラグがセットされる。
【００４８】
ステップＳ２５０において、ＣＰＵ３１０は、印刷モード実行ルーチンを終了するか否かを判断する。具体的には、ステップＳ２４０において、セットあるいはリセットされた終了フラグのセット状態を判断する。終了フラグがリセットされている場合、制御はステップＳ２２０に戻される。一方、終了フラグがセットされている場合には、印刷モード実行ルーチンは終了する。印刷モード実行ルーチンの終了により、図４に示す動作モードは、印刷モードＭ３から動作選択モードＭ２に戻される。
【００４９】
ステップＳ３１０において、ＣＰＵ３１０は、ユーザにタッチペンの操作によって印刷方法の選択を促すペンモードメニューを、タッチパネル２５０の表示画面２５２に表示する。なお、ペンモードメニューは、タッチペン４０がペンホルダ２４０から取り出されている時に表示されるメニューであるので、「取出モードメニュー」ともいうこともできる。
【００５０】
図６（ｂ）は、ステップＳ３１０において表示されるペンモードメニューが、タッチパネル２５０上に表示されている様子を示している。ペンモードメニューＭＭ２には、ボタンモードメニューと同様に、印刷方法の選択を促すメッセージＭＰＳと、リストボックスＬＢ２と、リストボックスＬＢ２の右側に設けられたスクロールバーＳＢ２と、が表示されている。また、ペンモードメニューＭＭ２には、ＯＫボタンＢＯＫと、キャンセルボタンＢＣＮとが表示されている。
【００５１】
図６（ｂ）に示すように、リストボックスＬＢ２の上部には、印刷方法の選択項目として、「活字合成印刷」と「手書き合成印刷」とが表示されている。これらの印刷方法は、いずれも、タッチペン４０を用いて文字の入力を行う印刷方法である。また、印刷方法の項目のうちリストボックスＬＢ２の下部には、選択項目「全て印刷」が表示されている。図６（ｂ）に示すように、選択項目「全て印刷」は、タッチペン４０の操作によって選択できないように灰色の文字で表示（グレーアウト）されている。なお、選択項目の順序は、必ずしもこの限りに限定されない。例えば、リストボックスＬＢ２での選択項目の順序をリストボックスＬＢ１での選択項目の順序と同一のものとすることもできる。
【００５２】
なお、第１実施例では、タッチペン４０での選択ができないように、印刷方法の選択項目「全て印刷」をグレーアウトしているが、選択項目「全て印刷」を表示しないようにしても良い。また、印刷方法の設定項目「全て印刷」をグレーアウトすることなく、選択項目「全て印刷」をタッチペン４０の操作で選択可能なままとすることも可能である。この場合、タッチペン４０を用いて文字の入力を行う印刷方法の選択項目は、その他の選択項目よりもリストボックスＬＢ２上で上方に（すなわち、優先的に）配置される。
【００５３】
図５のステップＳ３２０において、ＣＰＵ３１０は、タッチペン４０がペンホルダ２４０に格納されたか否かを判断する。具体的には、ＣＰＵ３１０は、ペンホルダ２４０からタッチペン４０の検出結果を取得し、タッチペン４０が検出された場合、タッチペン４０は格納されたと判断する。タッチペンが格納されたと判断された場合、制御はステップＳ２１０に移される。一方、タッチペンが格納されなかったと判断された場合、制御はステップＳ３３０に移される。
【００５４】
図６（ｃ）は、ステップＳ３２０においてタッチペン４０が格納されたと判断された場合に表示画面２５２に表示されるボタンモードメニューを示している。図６（ｃ）に示すボタンモードメニューは、図６（ａ）のボタンモードメニューと同一のメニューである。
【００５５】
ステップＳ３３０において、ＣＰＵ３１０は、タッチペン４０による操作が行われたか否かを判断する。具体的には、ＣＰＵ３１０は、操作パネル制御部４１０を介してタッチパネル２５０からタッチペン４０が表示画面２５２に触れたか否かを表す接触情報を取得する。接触情報が、タッチペン４０が表示画面２５２に触れていないことを表している場合、タッチペンによる操作が行われなかったと判断され、制御はステップＳ３２０に戻される。一方、接触情報が、タッチペン４０が表示画面２５２に触れたことを表している場合、タッチペンによる操作が行われたと判断され、制御はステップＳ３４０に移される。
【００５６】
ステップＳ３４０において、ＣＰＵ３１０は、タッチペンの接触位置に応じて処理を実行する。タッチペン４０の接触位置が、リストボックスＬＢ２中のグレーアウトしていない選択項目の表示位置であった場合、その表示位置の選択項目が印刷方法として選択される。タッチペン４０の接触位置が、スクロールバーＳＢ２の三角形の表示位置であった場合、三角形のいずれかの方向にリストボックスＬＢ２がスクロールされる。なお、これらの場合においては、終了フラグはリセットされる。タッチペン４０の接触位置がＯＫボタンＢＯＫの表示位置であった場合、終了フラグがセットされるとともに、選択された印刷方法により印刷が実行される。また、タッチペン４０の接触位置がキャンセルボタンＢＣＮの表示位置であった場合、終了フラグがセットされる。
【００５７】
ステップＳ３５０において、ＣＰＵ３１０は、印刷モード実行ルーチンを終了するか否かを判断する。具体的には、ステップＳ３４０において、セットあるいはリセットされた終了フラグのセット状態を判断する。終了フラグがリセットされている場合、制御はステップＳ３２０に戻される。一方、終了フラグがセットされている場合には、印刷モード実行ルーチンは終了し、図４に示す動作モードは、印刷モードＭ３から動作選択モードＭ２に戻される。
【００５８】
図７は、図５のステップＳ２４０において実行される処理のうちの選択画像印刷処理ルーチンを示すフローチャートである。この選択画像印刷処理ルーチンは、図６（ａ）に示される印刷方法の選択項目「選んで印刷」が選択された後、「ＯＫ」ボタン２１８（図２）が操作された際に実行される。
【００５９】
ステップＳ４１０において、ＣＰＵ３１０は、印刷の対象となる画像（印刷画像）を選択するユーザの指示を受け付ける。次いで、ステップＳ４２０において、画像の印刷条件を設定するためのユーザの指示を受け付ける。なお、ステップＳ４１０，Ｓ４２０において、ユーザの指示は、操作パネル２００（図２）の方向ボタン２１４、「ＯＫ」ボタン２１８、および、「キャンセル」ボタン２１６の操作により与えられる。
【００６０】
図８（ａ）は、ステップＳ４２０における印刷条件の設定後、タッチパネル２５０の表示画面２５２上に表示される確認画面ＳＣＦを示している。この確認画面ＳＣＦには、印刷される画像ＩＳＰと、表示された画像ＩＳＰを印刷することを通知するメッセージＭＣＦと、が表示されている。
【００６１】
図７のステップＳ４３０において、ＣＰＵ３１０は、タッチペン４０がペンホルダ２４０から取り出されたか否かを判断する。具体的には、ＣＰＵ３１０は、ペンホルダ２４０からタッチペン４０の検出結果を取得し、タッチペン４０が検出されなかった場合、タッチペン４０は取り出されたと判断する。タッチペンが取り出されたと判断された場合、制御はステップＳ５１０に移される。一方、タッチペンが取り出されなかったと判断された場合、制御はステップＳ４４０に移される。
【００６２】
ステップＳ４４０において、ＣＰＵ３１０は、操作パネル２００（図２）の「ＯＫ」ボタン２１８が操作されたか否かを判断する。「ＯＫ」ボタン２１８が操作されたと判断された場合、制御はステップＳ４５０に移される。一方、「ＯＫ」ボタン２１８が操作されなかったと判断された場合、制御はステップＳ４６０に移される。
【００６３】
ステップＳ４５０において、ＣＰＵ３１０は、ステップＳ４１０において選択された画像を印刷する。具体的には、選択された画像から印刷データを生成し、生成した印刷データを印刷エンジン３４０（図３）に供給する。印刷データが供給された印刷エンジン３４０は、画像を印刷する。選択された画像の印刷の後、図７の選択画像印刷処理ルーチンは終了する。そして、この選択画像印刷処理ルーチンの終了により、図４に示す動作モードは、印刷モードＭ３から動作選択モードＭ２に戻される。
【００６４】
ステップＳ４６０において、ＣＰＵ３１０は、操作パネル２００（図２）の「キャンセル」ボタン２１６が操作されたか否かを判断する。「キャンセル」ボタン２１６が操作されなかったと判断された場合、制御はステップＳ４３０に移される。一方、「キャンセル」ボタン２１６が操作されたと判断された場合、図７の選択画像印刷処理ルーチンは終了する。そして、この選択画像印刷処理ルーチンの終了により、図４に示す動作モードは、印刷モードＭ３から動作選択モードＭ２に戻される。
【００６５】
ステップＳ５１０において、ＣＰＵ３１０は、ユーザがタッチペン４０（図３）を用いてタッチパネル２５０上に記入した文字を入力する。具体的には、文字の入力を行うための文字入力画面を表す画像データをタッチパネル２５０に供給することにより、表示画面２５２上に文字入力画面を表示する。そして、タッチパネル２５０から供給されるタッチペン４０の接触情報を取得し、取得した接触情報に基づいてユーザが記入した文字を取得する。
【００６６】
図８（ｂ）は、ステップＳ５１０において、すなわち、図８（ａ）の確認画面ＳＣＦの表示中タッチペンが取り出されたときに表示される文字入力画面ＳＩＮを示している。文字入力画面ＳＩＮには、文字の記入を促すメッセージＭＰＩと、文字の記入領域を示す記入枠ＷＴＩと、文字の記入を指示するための「記入終了」ボタンＢＴＩと、が表示されている。
【００６７】
図８（ｃ）は、ユーザによりタッチペン４０で記入枠ＷＴＩ中に文字が記入された様子を示している。図８（ｃ）の例では、記入枠ＷＴＩ中に記入された手書き文字ＴＭＳが表示されている。手書き文字の記入の後、ユーザがタッチペン４０で記入ボタンに触れると、手書き文字ＴＭＳから文字が認識され、認識された文字を表す文字列「よろしく！」が取得される。
【００６８】
図７のステップＳ５２０において、ＣＰＵ３１０は、ステップＳ５１０において入力された文字の配置を指定するユーザの指示を取得する。具体的には、配置指定画面を表す画像データをタッチパネル２５０に供給することにより、表示画面２５２上に配置指定画面を表示する。そして、タッチパネル２５０から供給されるタッチペン４０の接触情報を取得し、取得した接触情報に基づいて文字の配置を指定するユーザの指示を取得する。
【００６９】
図９（ａ）は、ステップＳ５２０において、表示画面２５２上に表示される配置指定画面ＳＴＰを示している。配置指定画面ＳＴＰに表示された印刷対象の画像ＩＳＰには、図８（ｃ）で記入された手書き文字ＴＭＳから認識された文字列ＴＭＲ（よろしく！）と、文字列ＴＭＲを囲む文字枠ＷＭＰとが表示されている。配置指定画面ＳＴＰには、また、文字枠ＷＭＰの移動を促すメッセージＭＷＭと、２つのボタンＢＯＫ，ＢＣＮとが表示されている。
【００７０】
図９（ｂ）は、ユーザが文字枠ＷＭＰの内側の領域をタッチペン４０で触れている上他を示している。そして、ユーザがタッチペン４０で表示画面２５２に触れたまま、タッチペン４０を移動させることにより、図９（ｃ）に示すように、文字枠ＷＭＰと文字列ＴＭＲが移動する。このように文字枠ＷＭＰおよび文字列ＴＭＲとを必要に応じて移動した後、タッチペン４０でＯＫボタンＢＯＫを操作することにより、画像ＩＳＰと文字列ＴＭＲとの位置関係が決定される。
【００７１】
図７のステップＳ５３０において、ＣＰＵ３１０は、ステップＳ４１０で選択された画像と、ステップＳ５１０で取得した文字列とを、ステップＳ５２０で取得した文字の配置指定に従って合成する。そして、印刷エンジン３４０（図３）により、合成した画像の印刷を行う。ステップＳ５３０における印刷の後、図７の選択画像印刷処理ルーチンは終了し、図４に示す動作モードは、印刷モードＭ３から動作選択モードＭ２に戻される。
【００７２】
このように、第１実施例では、タッチペン４０をペンホルダ２４０から取り出すことにより、タッチパネル２５０の表示画面２５２に表示される画像（格納モード画像）が、タッチペン４０を用いたユーザの操作を許容する画像（取出モード画像）に切り替えられる。そのため、タッチペン４０を用いた操作を行うための操作ボタン２１０（図３）の操作を省略できるので、複合機１００ａの操作がより容易となる。
【００７３】
なお、第１実施例では、ペンモードメニューが表示されている状態（ペン取出モード）においては、タッチペン４０による操作のみを受け付けているが、操作ボタンの操作を受け付けるものとしても良い。また、ペン取出モードにおいてタッチペンの格納を検知するとボタンモードメニューが表示されている状態（ペン格納モード）に移行しているが、ペン格納モードへの移行を省略することも可能である。
【００７４】
また、第１実施例では、印刷モード実行ルーチン（図５）と、選択画像印刷ルーチン（図７）との２つのルーチンでタッチペン４０のペンホルダ２４０（図３）からの取り出しを検知しているが、これらの２つのルーチンのいずれか一方でタッチペン４０の取り出しを検知するものとしても良い。また、これらの２つのルーチンの他に、電源オン状態の（図４）各動作モードで実行される他のルーチンにおいて、タッチペン４０の取り出しを検知するものとしても良い。一般に、タッチペン４０の取り出しを検知することにより、動作モードをタッチペンを用いたユーザの指示を受け付けるモードに変更可能であれば、任意のルーチンでタッチペン４０の取り出しを検出するものとしても良い。
【００７５】
Ｂ．第２実施例：
図１０は、第２実施例における複合機１００ａの内部構成を示すブロック図である。第２実施例の複合機１００ａは、ペンホルダ２４０が電源回路に接続されている点で、図３に示す第１実施例の複合機１００と異なっている。他の点は、第１実施例の複合機１００と同じである。
【００７６】
複合機１００ａの電源回路３６２は、第１実施例と同様に、複合機１００各部への電力供給を行っていない状態で電源ボタン２１２が操作がされると、複合機１００各部への電力供給を開始する。また、電源回路３６２は、ペンホルダ２４０からタッチペン４０が取り出されると、複合機１００各部への電力供給を開始する。
【００７７】
図１１は、第２実施例における複合機１００ａの動作モードの遷移を示す状態遷移図である。図１１の状態遷移図は、電源オフ状態Ｍ１から動作選択モードＭ２への移行がタッチペン４０（図１０）のペンホルダ２４０からの取り出しによっても行われる点と、動作選択モードＭ２から電源オフ状態Ｍ１への移行がタッチペン４０のペンホルダ２４０への格納によっても行われる点とで、図４に示す第１実施例の状態遷移図と異なっている。他の点は、第１実施例の動作モードの遷移と同じである。なお、電源オフ状態Ｍ１は、複合機１００ａへの電力の供給が制限されている状態ともいうことができる。
【００７８】
このように、第２実施例では、タッチペン４０のペンホルダ２４０からの取り出しにより、複合機１００ａは電源オフ状態Ｍ１から動作選択モードＭ２に移行する。そのため、ユーザは電源ボタン２１２（図２）の操作を行うことなくタッチペン４０で複合機１００ａを操作することができるので、複合機１００ａの操作がより容易となる。また、タッチペン４０のペンホルダへの格納により、複合機１００ａは、動作選択モードＭ２から電源オフ状態Ｍ１に移行する。そのため、電源ボタン２１２の操作を省略することができるので、複合機１００ａの操作がより容易となる。
【００７９】
第２実施例は、タッチペン４０の取出および格納により複合機１００ａの電源状態を変更することができ、より操作が簡便になる点で第１実施例よりも好ましい。一方、第１実施例は、複合機１００の構成がより簡単になる点で第２実施例よりも好ましい。
【００８０】
なお、第２実施例では、タッチペン４０（図１０）のペンホルダ２４０への格納を検知した場合、複合機１００ａは動作選択モードＭ２から電源オフ状態Ｍ１に移行しているが、動作選択モードＭ２から電源オフ状態Ｍ１への移行を省略することも可能である。この場合にも、タッチペン４０の取り出しにより、複合機１００ａは電源オフ状態Ｍ１から電源オン状態に移行するので、複合機１００ａの操作がより容易となる。
【００８１】
Ｃ．第３実施例：
図１２は、第３実施例における複合機１００ａの動作モードの遷移を示す状態遷移図である。図１２の状態遷移図は、処理待機モードＭ６が付加されている点と、処理待機モードＭ６と、電源オフ状態Ｍ１、印刷モードＭ３、および動作選択モードＭ２と、の間で状態遷移がある点で、図１２に示す第２実施例の状態遷移図と異なっている。他の点は、第２実施例の動作モードの遷移と同じである。
【００８２】
印刷モードＭ３における印刷の実行中にタッチペン４０（図１０）がペンホルダ２４０に格納されると、複合機１００ａの動作モードは、処理待機モードＭ６に移行する。処理待機モードＭ６において、印刷モードＭ３で開始された印刷が終了すると、複合機１００ａは電源オフ状態Ｍ１に移行する。また、処理待機モードＭ６において、タッチペン４０の取り出し、あるいは、操作ボタン２１０の操作が検知されると、複合機１００ａの動作モードは、処理待機モードＭ６から動作選択モードＭ２に移行する。
【００８３】
このように、第３実施例では、ユーザが印刷の実行中にタッチペン４０をペンホルダ２４０に格納することにより、印刷の終了後、複合機１００ａは電源オフ状態となる。そのため、電源ボタン２１２の操作のために印刷の終了を待つことなく複合機１００ａに電源を切る指示を与えることができるので、複合機１００ａの操作がより容易となる。また、タッチペン４０のペンホルダ２４０からの取り出し、あるいは、操作ボタン２１０の操作により、複合機１００ａは、処理待機モードＭ６から動作選択モードＭ２に移行する。そのため、印刷中に複合機１００ａを操作することにより、ユーザは複合機１００ａを電源オン状態に維持することができる。
【００８４】
第３実施例は、ユーザが、印刷中にタッチペンを格納することにより、印刷の終了を待つことなく複合機１００ａにその電源を切る指示を与えることができる。そのため、複合機１００ａの操作がより容易となる点で第２実施例よりも好ましい。一方、第２実施例は、複合機１００ａの制御がより容易となる点で、第３実施例よりも好ましい。
【００８５】
なお、第３実施例では、複合機１００ａによる印刷の実行中にタッチペンを格納することにより処理待機モードＭ６に移行しているが、他の状態でタッチペンを格納することにより処理待機モードＭ６に移行するものとしても良い。例えば、ＵＳＢコネクタ３７２，３８２（図１０）を介して接続されたデバイスと複合機１００ａとの通信が行われている状態でタッチペンを格納することにより処理待機モードＭ６に移行するものとしても良い。この場合、処理待機モードＭ６から電源オフ状態Ｍ１への移行は、通信処理の終了を待って行われる。一般に、複合機１００ａが電源オフ状態Ｍ１において実行し得ない特定の処理を行っている状態においてタッチペンが格納された場合に、その状態から特定の処理の終了を待つ処理待機モードＭ６に移行するものとすることができる。
【００８６】
Ｄ．第４実施例：
図１３は、第４実施例における複合機１００ａの動作モードの遷移を示す状態遷移図である。図１３の状態遷移図は、省電力モードＭ７が付加されている点と、省電力モードＭ７と、電源オフ状態Ｍ１および動作選択モードＭ２と、の間で状態遷移がある点とで、図１２に示す第２実施例の状態遷移図と異なっている。他の点は、第２実施例の動作モードの遷移と同じである。
【００８７】
動作選択モードＭ２において、タッチペン４０（図１０）がペンホルダ２４０に格納されるか、あるいは、タッチペン４０や操作ボタン２１０の操作が所定の時間以上行われないと、複合機１００ａの動作モードは、省電力モードＭ７に移行する。省電力モードＭ７において、ＣＰＵ３１０が電源ボタン２１２の操作を検知すると、複合機１００ａは電源オフ状態Ｍ１に移行する。
【００８８】
省電力モードＭ７では、電源回路３６２（図１０）は、印刷エンジン３４０やスキャンエンジン３５０やタッチパネル２５０等、タッチペン４０の取り出しやボタン２１０，２１２の操作の検知に必要とされない複合機１００ａ各部への電力供給を停止する。具体的には、ＣＰＵ３１０は、電源制御部３６０を介して電源回路３６２にこれらの各部３４０，３５０，２５０への電力供給の停止を指示する。このように、複合機１００ａの一部への電力供給を停止することにより、複合機１００ａの電力消費量を低減することができる。なお、省電力モードＭ７は、複合機１００ａへの電力の供給が制限されている状態ともいうことができる。
【００８９】
省電力モードＭ７において、タッチペンの取り出しや操作ボタンの操作が検知されると、複合機１００ａの動作モードは、動作選択モードＭ２に移行する。省電力モードＭ７においては、タッチペン４０の取り出しやボタン２１０，２１２の操作の検知に使用されるＣＰＵ３１０、ＲＯＭ３２０、ＲＡＭ３３０には電力が供給されている。そのため、省電力モードＭ７から動作選択モードＭ２に移行に要する時間は、ＣＰＵ３１０による起動（ブート）プログラムの実行が省略できるので、電源オフ状態Ｍ１から動作選択モードＭ２に移行に要する時間よりも短くなる。
【００９０】
このように、第４実施例では、複合機１００ａの動作状態に省電力モードＭ７を設けることにより、複合機１００ａの消費電力の低減を行うとともに、動作選択モードＭ２への移行に要する時間（立ち上げ時間）が短縮される。
【００９１】
第４実施例は、立ち上げ時間を短縮しつつ複合機１００ａの消費電力を低減することができ、複合機１００ａの利便性がより高くなる点で、第２実施例よりも好ましい。一方、第２実施例は、複合機１００ａの制御がより容易となる点で、第４実施例よりも好ましい。
【００９２】
Ｅ．変形例：
なお、この発明は上記実施例や実施形態に限られるものではなく、その要旨を逸脱しない範囲において種々の態様において実施することが可能であり、例えば次のような変形も可能である。
【００９３】
Ｅ１．変形例１：
上記第３および第４実施例は、それぞれ別個の複合機１００ａに適用されているが、これらの実施例を単一の複合機１００ａに適用することもできる。この場合、処理待機モードＭ６（図１２）において印刷処理が終了した後は、複合機の動作モードは、処理待機モードＭ６から省電力モードＭ７（図１３）に移行するものとすることができる。このようにすれば、印刷の終了によって移行する動作モードが省電力モードＭ７となるので、印刷の終了後、複合機１００ａの操作を再度行う場合の利便性が向上する。
【００９４】
Ｅ２．変形例２：
上記各実施例では、本発明を複合機に適用しているが、本発明は、ユーザがタッチペンでタッチパネルに触れることにより指示を与えることが可能であり、タッチペンが格納されているか否かを検出可能なペンホルダ（タッチペン格納部）を有している画像印刷装置であれば、任意の装置に適用することが可能である。本発明は、例えば、スキャナやコピーの機能を有さないプリンタに適用することもできる。
【図面の簡単な説明】
【００９５】
【図１】本発明の一実施例としての複合機１００を示す斜視図。
【図２】複合機１００の操作パネル２００の一例を示す説明図。
【図３】複合機１００の内部構成を示すブロック図。
【図４】複合機１００の動作モードの遷移を示す状態遷移図。
【図５】印刷モード実行ルーチンを示す説明図。
【図６】印刷モード実行ルーチンの実行中のタッチパネル２５０の状態を示す説明図。
【図７】選択画像印刷処理ルーチンを示すフローチャート。
【図８】印刷画像処理ルーチンの実行中のタッチパネル２５０の状態を示す説明図。
【図９】ステップＳ５２０において、文字の配置指定が行われる様子を示す説明図。
【図１０】第２実施例の複合機１００ａの内部構成を示すブロック図。
【図１１】第２実施例における複合機１００ａの動作モードの遷移を示す状態遷移図。
【図１２】第３実施例における複合機１００ａの動作モードの遷移を示す状態遷移図。
【図１３】第４実施例における複合機１００ａの動作モードの遷移を示す状態遷移図。
【符号の説明】
【００９６】
１００…複合機
１００ａ…複合機
１１０…オートシードフィーダ
１２０…排紙トレイ
１３０…メモリカードスロット
２００…操作パネル
２１０…操作ボタン
２１２…電源ボタン
２１４…方向ボタン
２１６…「キャンセル」ボタン
２１８…「ＯＫ」ボタン
２２２…「印刷」ボタン
２２４…「スキャン」ボタン
２２６…「コピー」ボタン
２３０…表示ランプ
２３２…電源ランプ
２４０…ペンホルダ
２５０…タッチパネル
２５２…表示画面
３１０…ＣＰＵ
３２０…ＲＯＭ
３３０…ＲＡＭ
３４０…印刷エンジン
３５０…スキャンエンジン
３５０…印刷エンジン
３６０…電源制御部
３６２…電源回路
３６４…メインスイッチ
３７０…ＵＳＢホスト制御部
３７２…ＵＳＢコネクタ
３８０…ＵＳＢデバイス制御部
３８２…ＵＳＢコネクタ
３９０…メモリカードインタフェース
ＤＳＣ…デジタルスチルカメラ
ＰＣ…パーソナルコンピュータ
【図１】
2008149676.tif 000003
【図２】
2008149676.tif 000004
【図３】
2008149676.tif 000005
【図４】
2008149676.tif 000006
【図５】
2008149676.tif 000007
【図６】
2008149676.tif 000008
【図７】
2008149676.tif 000009
【図８】
2008149676.tif 000010
【図９】
2008149676.tif 000011
【図１０】
2008149676.tif 000012
【図１１】
2008149676.tif 000013
【図１２】
2008149676.tif 000014
【図１３】
2008149676.tif 000015